(57)【要約】【課題】暗い場所でもＲＦタグを容易に見つけ出せるようにすること。【解決手段】本願発明では、上記課題を達成するために、情報を記録する機能と、前記情報が非接触でリーダ装置により読み取られる機能とを有し、物品に取り付けられるＲＦタグであって、  前記ＲＦタグは、光の刺激で発光する発光物質を含むことを特徴とするＲＦタグとしたものであって、前記発光物質は、光の刺激を受けている間だけ発光し、光の刺激が無くなるとただちに発光を停止する蛍光物質であっても良いし、光の刺激が無くなっても、数分から数時間にわたって発光を続ける燐光物質であっても良い。【選択図】なし【特許請求の範囲】
【請求項１】
情報を記録する機能と、前記情報が非接触でリーダ装置により読み取られる機能とを有し、物品に取り付けられるＲＦタグであって、
前記ＲＦタグは、光の刺激で発光する発光物質を含むことを特徴とするＲＦタグ。
【請求項２】
前記各機能を実現する電子部品を封止する樹脂に、発光物質が含まれていることを特徴とする請求項１に記載のＲＦタグ。
【請求項３】
前記発光物質を含む膜を表面に有することを特徴とする請求項１に記載のＲＦタグ。
【請求項４】
前記発光物質を含む膜の表面に透明層を有することを特徴とする請求項３に記載のＲＦタグ。
【請求項５】
前記発光物質は蛍光物質であることを特徴とする請求項１〜４の何れか１項に記載のＲＦタグ。
【請求項６】
前記発光物質は燐光物質であることを特徴とする請求項１〜４の何れか１項に記載のＲＦタグ。
【発明の詳細な説明】
【技術分野】
【０００１】
本発明は、ＲＦタグに関する。
【背景技術】
【０００２】
近年、レンタル機器、大型製造設備、金型などの物品の管理などに、金属刻印板などの銘板の替わりに、ＲＦ（Ｒａｄｉｏ  Ｆｒｅｑｕｅｎｃｙ）ＲＦタグの利用を検討する業者が増えつつある。
【０００３】
ここで、ＲＦタグとは、ＲＦＩＤ（Ｒａｄｉｏ  Ｆｒｅｑｕｅｎｃｙ  Ｉｄｅｎｔｉｆｉｃａｔｉｏｎ）、或は無線ＩＣタグなどとも呼ばれ、情報を記録する機能と、前記情報が非接触でリーダ装置により読み取られる機能とを有し、物品に取り付けられるものである。また、ＲＦタグには、ライタ装置により非接触で情報を記録可能な機能を有するものもある。これらの機能は、アンテナ、ＩＣチップなどの電子部品で実現される。
【０００４】
ＲＦタグの形状には、例えば、ラベル型、カード型、コイン型、スティック型など様々なものがある。ラベル型のＲＦタグは、物品に貼り付けることができる。
【０００５】
銘板の替わりに、ＲＦタグに変更することで、大量の情報記録、汚れなどが付着しても情報が読み取れる、情報の書き換えが可能などのメリットが期待される。
【０００６】
ところで、ＲＦタグの情報を読み取るためには、このＲＦタグの読取り可能距離まで、リーダ装置を近接させる必要がある。携帯型リーダ装置では、この距離は一般に３０ｃｍ以下であるため、特定の物品に取り付けられたＲＦタグから、情報を読み取るためには、まず、ＲＦタグが物品のどの位置に取り付けられているかを見つけ出す必要があるが、しかしながら、薄暗い倉庫などのように暗い場所に物品が保管されている場合には、一般に、このことは困難である。
【発明の開示】
【発明が解決しようとする課題】
【０００７】
本発明は斯かる背景技術に鑑みてなされたもので、暗い場所でもＲＦタグを容易に見つけ出せるようにすることを課題とする。
【課題を解決するための手段】
【０００８】
本発明において上記の課題を達成するために、まず請求項１の発明では、情報を記録する機能と、前記情報が非接触でリーダ装置により読み取られる機能とを有し、物品に取り付けられるＲＦタグであって、
前記ＲＦタグは、光の刺激で発光する発光物質を含むことを特徴とするＲＦタグとしたものである。
【０００９】
また請求項２の発明では、前記各機能を実現する電子部品を封止する樹脂に、発光物質が含まれていることを特徴とする請求項１に記載のＲＦタグとしたものである。
【００１０】
また請求項３の発明では、前記発光物質を含む膜を表面に有することを特徴とする請求項１に記載のＲＦタグとしたものである。
【００１１】
また請求項４の発明では、前記発光物質を含む膜の表面に透明層を有することを特徴とする請求項３に記載のＲＦタグとしたものである。
【００１２】
また請求項５の発明では、前記発光物質は蛍光物質であることを特徴とする請求項１〜４の何れか１項に記載のＲＦタグとしたものである。
【００１３】
また請求項６の発明では、前記発光物質は燐光物質であることを特徴とする請求項１〜４の何れか１項に記載のＲＦタグとしたものである。
【発明の効果】
【００１４】
請求項１の発明は、物品に取り付けた状態で、光を照射したとき、この光の刺激で発光物質が発光して、この発光が目視されるために、暗い場所でも、その発光をもとに、容易に見つけ出せるようになるという効果がある。
【００１５】
請求項２の発明は、各機能を実現する電子部品が、発光物質を含む樹脂で封止されているので、容易に製造できるという効果がある。
【００１６】
請求項３の発明は、表面に発光物質を含む膜があるので、本体が不透明であっても良いという効果がある。
【００１７】
請求項４の発明は、発光物質を含む膜の表面に透明層があるので、発光物質を含む膜が保護されるという効果がある。
【００１８】
請求項５の発明は、暗い所で、懐中電灯などのスポット光を用いれば、スポット光が照射されたＲＦタグのみが発光するので、その発光をもとに、そのＲＦタグを容易に見つけ出すことができるという効果がある。
【００１９】
請求項６の発明は、暗いとき、照明を一旦付けて明るくした後、また暗くすることで、ＲＦタグを発光させることができるので、その発光をもとに、ＲＦタグを容易に見つけ出すことができるという効果がある。また、昼夜のように明るい時と暗い時とが繰り返される所では、暗い時間になっても、光を照射すること無くＲＦタグが発光するので、その発光をもとに、ＲＦタグを容易に見つけ出すことができるという効果がある。
【００２０】
以上、本発明は、暗い場所でもＲＦタグを容易に見つけ出せるという効果がある。
【発明を実施するための最良の形態】
【００２１】
以下に、本発明の最良の一実施形態を説明する。
【００２２】
本実施形態のＲＦタグは、情報を記録する機能と、前記情報が非接触でリーダ装置により読み取られる機能とを有し、物品に取り付けられるものであって、さらに、光の刺激で発光する発光物質を含むものである。これらの機能は、アンテナ、ＩＣチップなどの電子部品で実現される。
【００２３】
本実施形態のＲＦタグは、物品に取り付けた状態で、光を照射したとき、この光の刺激で発光物質が発光して、この発光が目視されるために、暗い場所でも、その発光をもとに、そのＲＦタグを容易に見つけ出せるようになるという効果がある。
【００２４】
発光物質には、光の刺激を受けている間だけ発光し、光の刺激が無くなるとただちに発光を停止する蛍光物質と、光の刺激が無くなっても、数分から数時間にわたって発光を続ける燐光物質とがある。
【００２５】
蛍光物質の場合、暗い所で、懐中電灯などのスポット光を用いれば、スポット光が照射
されたＲＦタグのみが発光するので、その発光をもとに、そのＲＦタグを容易に見つけ出すことができるという効果がある。
【００２６】
燐光物質の場合、暗いとき、照明を一旦付けて明るくした後、また暗くすることで、ＲＦタグを発光させることができるので、その発光をもとに、ＲＦタグを容易に見つけ出すことができるという効果がある。また、燐光物質の場合、昼夜のように明るい時と暗い時とが繰り返される所では、暗い時間になっても、光を照射すること無くＲＦタグが発光するので、その発光をもとに、ＲＦタグを容易に見つけ出すことができるという効果がある。
【００２７】
以下に、３つの実施例を説明することで、本実施形態を具体的に説明する。
【実施例１】
【００２８】
実施例１のＲＦタグ１１は、図１に示すように、アンテナ３と、ＩＣチップ２とを、発光物質を含む樹脂１で封止し、発光物質を含む樹脂１の裏面に接着剤層４を設けたものである。
【００２９】
実施例１のＲＦタグ１１は、図２に示すように、接着剤層４を介して物品５に貼り付けられる。
【００３０】
実施例１のＲＦタグ１１は、アンテナ３と、ＩＣチップ２とを、発光物質を含む樹脂１で封止するので、容易に製造できるという効果がある。
【実施例２】
【００３１】
実施例２のＲＦタグ１２は、図３に示すように、アンテナ３と、ＩＣチップ２とを、樹脂６で封止し、樹脂６の裏面に接着剤層４を設け、樹脂６の表面に、発光物質を含む膜７を設けたものである。発光物質を含む膜７は、塗布又は印刷によって設けても良い。
【００３２】
実施例２のＲＦタグ１２も、図４に示すように、接着剤層４を介して物品５に貼り付けられる。
【００３３】
実施例２のＲＦタグ１２は、樹脂６の表面に、発光物質を含む膜７を設けたので、樹脂６が不透明であっても良いという効果がある。
【実施例３】
【００３４】
実施例３のＲＦタグ１３は、図５に示すように、アンテナ３と、ＩＣチップ２とを、樹脂６で封止し、樹脂６の裏面に接着剤層４を設け、樹脂６の表面に、発光物質を含む膜７を設け、さらに、発光物質を含む膜７の表面に、透明層８を設けたものである。
【００３５】
実施例３のＲＦタグ１３も、図６に示すように、接着剤層４を介して物品５に貼り付けられる。
【００３６】
実施例３のＲＦタグ１３は、発光物質を含む膜７の上に、透明層８を設けたので、発光物質を含む膜７が保護されるという効果がある。
【図面の簡単な説明】
【００３７】
【図１】本発明の実施例１を表す断面図。
【図２】本発明の実施例１を物品に貼り付けたときの断面図。
【図３】本発明の実施例２を表す断面図。
【図４】本発明の実施例２を物品に貼り付けたときの断面図。
【図５】本発明の実施例３を表す断面図。
【図６】本発明の実施例３を物品に貼り付けたときの断面図。
【符号の説明】
【００３８】
１…発光物質を含む樹脂
２…ＩＣチップ
３…アンテナ
４…接着剤層
５…物品
６…樹脂
７…発光物質を含む膜
８…透明層
１１…実施例１のＲＦタグ
１２…実施例２のＲＦタグ
１３…実施例３のＲＦタグ
【図１】
2005196445.tif 000002
【図２】
2005196445.tif 000003
【図３】
2005196445.tif 000004
【図４】
2005196445.tif 000005
【図５】
2005196445.tif 000006
【図６】
2005196445.tif 000007